(57)【要約】【課題】端子台取付板の幅を縮小できる照明器具を提供する。【解決手段】実施形態によれば、照明器具は、光源を有する器具本体と、器具本体から延出して器具本体に取り付けられ、端子台取付板を有する電源固定部材と、端子台取付板の一方の面に取り付けられ、電源線が接続される電源端子台と、端子台取付板の他方の面に取り付けられ、制御信号線が接続される信号端子台と、電源固定部材に取り付けられ、光源、電源端子台および信号端子台と電気的に接続され、電源線を介して供給される点灯電力を光源に与えるとともに、制御信号線を介して入力される制御信号に基づいて光源の点灯状態を制御する点灯ユニットと、を備えている。【選択図】図２
2014060069.tif 000002
【特許請求の範囲】
【請求項１】
光源を有する器具本体と、
前記器具本体から延出して前記器具本体に取り付けられ、端子台取付板を有する電源固定部材と、
前記端子台取付板の一方の面に取り付けられ、電源線が接続される電源端子台と、
前記端子台取付板の前記一方の面の裏面である他方の面に取り付けられ、制御信号線が接続される信号端子台と、
前記電源固定部材に取り付けられ、前記光源、前記電源端子台および前記信号端子台と電気的に接続され、前記電源線を介して供給される点灯電力を前記光源に与えるとともに、前記制御信号線を介して入力される制御信号に基づいて前記光源の点灯状態を制御する点灯ユニットと、
を備えた照明器具。
【請求項２】
前記電源端子台及び前記信号端子台の一方に、ネジ穴が形成され、
前記電源端子台及び前記信号端子台の他方および前記端子台取付板を貫通して前記ネジ穴にネジ込まれた共通のネジによって、前記電源端子台及び前記信号端子台は前記端子台取付板を挟んで前記端子台取付板に固定されている請求項１記載の照明器具。
【請求項３】
前記端子台取付板を含む前記電源固定部材は、導電性を有し、
前記ネジ穴は、前記電源端子台に設けられたアース端子と接続され、前記電源端子台に設けられた導体に形成され、
前記導体は前記端子台取付板に接触し、前記器具本体は前記電源固定部材及び前記導体を介して接地されている請求項２記載の照明器具。
【請求項４】
前記電源端子台及び前記信号端子台のそれぞれに設けられた突起が、前記端子台取付板に形成された穴に係合して、前記電源端子台及び前記信号端子台の前記端子台取付板上での回転が規制されている請求項２または３に記載の照明器具。
【発明の詳細な説明】
【技術分野】
【０００１】
本発明の実施形態は、照明器具に関する。
【背景技術】
【０００２】
点灯ユニット一体型の天井埋め込み用照明器具において、電源端子台と調光端子台とが板状の端子台取付部の同じ面に並べて配置された構造が知られている。この構造では、端子台取付部の面方向に並べて配置された２つ端子台の幅によって、照明器具の幅が制約を受け、より小さな径の天井埋込穴への取り付けに対応した小型器具の実現の障害となる。
【先行技術文献】
【特許文献】
【０００３】
【特許文献１】特開２０１０−２５７５９０号公報
【発明の概要】
【発明が解決しようとする課題】
【０００４】
端子台取付板の幅を縮小できる照明器具を提供する。
【課題を解決するための手段】
【０００５】
実施形態によれば、照明器具は、光源を有する器具本体と、前記器具本体から延出して前記器具本体に取り付けられ、端子台取付板を有する電源固定部材と、前記端子台取付板の一方の面に取り付けられ、電源線が接続される電源端子台と、前記端子台取付板の前記一方の面の裏面である他方の面に取り付けられ、制御信号線が接続される信号端子台と、前記電源固定部材に取り付けられ、前記光源、前記電源端子台および前記信号端子台と電気的に接続され、前記電源線を介して供給される点灯電力を前記光源に与えるとともに、前記制御信号線を介して入力される制御信号に基づいて前記光源の点灯状態を制御する点灯ユニットと、を備えている。
【発明の効果】
【０００６】
より小さな径の天井埋込穴への取り付けに対応でき、器具全体の小型化が可能となる。
【図面の簡単な説明】
【０００７】
【図１】（ａ）は実施形態の照明器具の上面図であり、（ｂ）は実施形態の照明器具の一部断面側面図。
【図２】実施形態の照明器具における端子台の模式斜視図。
【図３】（ａ）は実施形態の照明器具における端子台の模式上面図であり、（ｂ）は図３（ａ）におけるＡ−Ａ’断面図。
【図４】実施形態の照明器具の、天井に対する取り付け方法を説明するための模式図。
【発明を実施するための形態】
【０００８】
以下、図面を参照し、実施形態について説明する。なお、各図面中、同じ要素には同じ符号を付している。
【０００９】
図１（ａ）は、実施形態の照明器具１の上面図であり、図１（ｂ）は実施形態の照明器具１の一部断面側面図である。図１（ｂ）は、照明器具１が天井１００に対して取り付けられた姿勢を表す。
【００１０】
実施形態の照明器具１は、光源２１を有する器具本体１０と、点灯ユニット４１とが結合された状態で、天井１００に形成された埋込孔に取り付けられるダウンライトである。
【００１１】
器具本体１０は、放熱体１１を有し、光源２１は放熱体１１の内部に収容されている。光源２１は、基板２２と、基板２２上に実装された複数の発光素子２３としてのＬＥＤ（Light Emitting Diode）素子とを有する。
【００１２】
ＬＥＤの活性層の材料として、例えば窒化ガリウム（ＧａＮ）系化合物半導体を用いると、波長５００ｎｍ以下の短波長光が得られる。ただし、活性層の材料は、窒化ガリウム系化合物半導体に限られるものではない。
【００１３】
また、発光素子２３としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００１４】
また、発光素子２３は蛍光体層も含む。実施形態においては、例えば、青色光を発光するＬＥＤと、その青色光（励起光）を吸収して黄色光に変換する蛍光体を含む蛍光体層との組み合わせにより、発光素子２３は、青色光と黄色光との混合色として白色や電球色などの光を放出する。
【００１５】
光源２１の基板２２における発光素子２３の実装面は図１（ｂ）において下方に向けられている。放熱体１１は円盤状の光源取付部１２を有し、基板２２における実装面の裏面は、光源取付部１２に接触して、光源取付部１２に取り付けられている。
【００１６】
放熱体１１における外壁および光源取付部１２の上方には、複数の放熱フィン１３が設けられている。放熱体１１における光源取付部１２の周縁部には、図１（ｂ）において下方に突出する側壁部１４が設けられている。
【００１７】
放熱体１１の側壁部１４の内側には、化粧枠３１が設けられている。化粧枠３１は、放熱体１１の側壁部１４の下端部を覆い隠すように、側壁部１４の外側に突出したフランジ３２を有する。
【００１８】
光源２１の基板２２の実装面の下方には、反射板２５が設けられている。さらに、その反射板２５の下方には、透光性カバー２６が設けられている。
【００１９】
発光素子２３から放出された光は、反射板２５および透光性カバー２６を介して所望の配向性でもって、天井１００より下方の空間（図１（ｂ）における下方）に向けて放出される。
【００２０】
放熱体１１の上端部には、板状の電源固定部材４０が取り付けられている。電源固定部材４０の一端部は、図１（ａ）に示すネジ４５によって、放熱体１１の放熱フィン１３の上端部に対してネジ止めされている。照明器具１が天井１００に取り付けられた状態で、電源固定部材４０は、放熱体１１の上端から、鉛直方向に対して直交する方向に延出している。電源固定部材４０は、放熱体１１に対して片持ち支持されている。
【００２１】
電源固定部材４０には、点灯ユニット４１が取り付けられている。点灯ユニット４１は、電源固定部材４０の下面に取り付けられている。
【００２２】
なお、本明細書において、「上面」は、照明器具１が天井１００に取り付けられた姿勢における鉛直方向の上側の面を表し、「下面」は「上面」に対して相対的に鉛直方向の下側の面を表す。
【００２３】
点灯ユニット４１は、商用電源の交流を直流に変換して光源２１に出力し、発光素子２３を点灯させる点灯回路と、点灯回路を覆うカバー４２とを有する。また、点灯回路は、外部の制御信号に基づいて、発光素子２３に供給される電力の大きさや、電力の供給時間（点灯時間）を制御し、発光素子２３の点灯状態を制御する。
【００２４】
電源固定部材４０の長手方向の先端部には、端子台取付板５１が設けられている。端子台取付板５１には、電源端子台６１と信号端子台７１が取り付けられている。
【００２５】
図２は、端子台取付板５１、端子台取付板５１に取り付けられた電源端子台６１および信号端子台７１の模式斜視図である。  
図３（ａ）は、端子台取付板５１、端子台取付板５１に取り付けられた電源端子台６１および信号端子台７１の模式上面図であり、図３（ｂ）は、図３（ａ）におけるＡ−Ａ’断面図である。
【００２６】
端子台取付板５１は、照明器具１が天井１００に取り付けられた姿勢で上側を向く上面と、その上面の裏面である下面とを有する。電源端子台６１は端子台取付板５１の下面に取り付けられ、信号端子台７１は端子台取付板５１の上面に取り付けられている。あるいは、電源端子台６１は端子台取付板５１の上面に取り付けられ、信号端子台７１は端子台取付板５１の下面に取り付けられていてもよい。
【００２７】
電源端子台６１には、天井裏に配線された商用電源の引き込み配線（電源線及びアース線）が接続される。
【００２８】
電源端子台６１の外観は、絶縁性の樹脂からなるケース６２によって形成されている。ケース６２の内部には、図示しない電源端子及びアース端子が収容されている。
【００２９】
ケース６２には、電源線挿入孔６３とアース線挿入孔６４が形成されている。２対の電源線挿入孔６３が形成され、一方の電源線挿入孔６３に商用電源の電源線８３（図３（ｂ）に示す）が挿入され、その電線線８３は電源端子台６１内部の電源端子と接続される。他方の電源挿入孔８３には、他の照明器具と接続される送り配線の電源線が挿入される。
【００３０】
アース線挿入孔６４も２対形成され、一方のアース線挿入孔６４には商用電源のアース線が挿入され、そのアース線は電源端子台６１内部のアース端子と接続される。他方のアース線挿入孔６４には、他の照明器具と接続される送り配線のアース線が挿入される。
【００３１】
電源端子台６１における端子台取付板５１に対する反対側の下面部には、電源線挿入孔６３に挿入された電源線と電源端子との接続（係合）を解除するための解除操作部６５と、アース線挿入孔６４に挿入されたアース線とアース端子との接続（係合）を解除するための解除操作部６６が設けられている。
【００３２】
信号端子台７１には、天井裏に配線された調光信号線などの制御信号線が接続される。
【００３３】
信号端子台７１の外観は、絶縁性の樹脂からなるケース７２によって形成されている。ケースの７２内部には、図示しない信号端子が収容されている。
【００３４】
ケース７２には、信号線挿入孔７３が形成されている。２対の信号線挿入孔７３が形成され、一方の信号線挿入孔７３には外部の制御信号線８２（図３（ｂ）に示す）が挿入され、その制御信号線８２は信号端子台７１内部の信号端子と接続される。他方の信号線挿入孔７３には、他の照明器具と接続される送り配線の制御信号線が挿入される。
【００３５】
信号端子台７１における端子台取付板５１に対する反対側の上面部には、信号線挿入孔７３に挿入された制御信号線と信号端子との接続（係合）を解除するための解除操作部７４が設けられている。
【００３６】
電源端子台６１の電源線挿入孔６３およびアース線挿入孔６４は、器具本体１０の反対側に向けられている。信号端子台７１の信号線挿入孔７３も、器具本体１０の反対側に向けられている。したがって、外部配線である電源線、アース線、制御信号線を、それぞれ、電源線挿入孔６３、アース線挿入孔６４、信号線挿入孔７３に対して抜き差しする作業性を損ねない。
【００３７】
また、電源端子台６１は、図示しないコネクタ及び内部電線を介して、点灯ユニット４１の点灯回路と接続されている。信号端子台７１も、図示しないコネクタ及び内部電線を介して、点灯ユニット４１の点灯回路と接続されている。
【００３８】
点灯ユニット４１の点灯回路は、光源２１、電源端子台６１および信号端子台７１と電気的に接続され、電源線を介して供給される点灯電力を発光素子２３に与えるとともに、制御信号線を介して入力される制御信号に基づいて発光素子２３の点灯状態を制御する。
【００３９】
電源端子台６１および信号端子台７１は、図３（ｂ）に示すように、端子台取付板５１を挟んで、共通の１本のネジ８１によって、端子台取付板５１に対して固定されている。
【００４０】
電源端子台６１及び信号端子台７１の一方にネジ穴が形成され、他方に貫通孔が形成されている。実施形態によれば、例えば信号端子台７１に貫通孔７６が形成されている。
【００４１】
電源端子台６１における端子台取付板５１に対して重ねられる面には、金属製の導体であるリング状のネジ受け８４が埋め込まれている。そのネジ受け８４の中央にネジ孔が形成されている。
【００４２】
端子台取付板５１には貫通孔５２が形成されている。その貫通孔５２に対して、信号端子台７１に形成された貫通孔７６が位置合わせされ、電源端子台６１に設けられたネジ受け８４のネジ孔が位置合わせされる。
【００４３】
そして、ネジ８１が、信号端子台７１側から信号端子台７１の貫通孔７６および端子台取付板５１の貫通孔５２に挿入され、電源端子台６１のネジ受け８４のネジ穴にネジ込まれる。信号端子台７１及び電源端子台６１は、ネジ受け８４に対するネジ８１の締結力によって、端子台取付板５１を挟んで端子台取付板５１に対して固定される。
【００４４】
実施形態によれば、ナットを用いずに１本のネジ８１だけで、信号端子台７１および電源端子台６１の両方を、端子台取付板５１に対して取り付けることができ、組み立てが容易になる。
【００４５】
なお、ネジ受け８４は、ネジが切られていない孔を有し、その孔にネジ８１をネジ込むことでネジ８１が螺合するセルフタップ構造であってもよい。ネジ孔が形成された構造、あるいはセルフタップ構造のいずれの構造でも、ネジ受け８４は金属または樹脂で構成することができる。
【００４６】
電源端子台６１における端子台取付板５１に重ね合わされる面には、突起６７が設けられている。信号端子台７１における端子台取付板５１に重ね合わされる面にも、突起７７が設けられている。突起６７、７７は、端子台取付板５１に形成された係合孔５４、５３内にそれぞれ入り込む。
【００４７】
突起７７と係合孔５３との係合により、ネジ８１を回すときに、信号端子台７１の端子台取付板５１上での回転が規制される。同様に、突起６７と係合孔５４との係合により、ネジ８１を回すときに、電源端子台６１の端子台取付板５１上での回転が規制される。
【００４８】
また、実施形態によれば、電源端子台６１に埋め込まれた金属製のネジ受け８４は、電源端子台６１に内蔵されたアース端子と接続されている。また、端子台取付板５１を含めて電源固定部材４０は金属からなり導電性を有する。器具本体１０の放熱体１１は金属からなる。その放熱体１１の金属に対して、電源固定部材４０は接触して取り付けられている。
【００４９】
上記ネジ８１の締結により、ネジ受け８４は端子台取付板５１に圧接する。したがって、器具本体１０は、電源固定部材４０、電源端子台６１のネジ受け８４を介して接地される。
【００５０】
図１（ａ）に示すように、器具本体１０の外壁には、複数（例えば３つ）の取付ばね３３が取り付けられている。取付ばね３３は板ばねであり、照明器具１は取付ばね３３の弾性を利用して、天井１００に設けられた埋込孔に取り付けられる。
【００５１】
次に、図４を参照して、実施形態の照明器具１の、天井１００に対する取付方法について説明する。
【００５２】
照明器具１は、電源固定部材４０の先端側から、天井１００に形成された埋込穴１０１に挿入される。その前に、天井裏に配線されている外部配線（電源線、アース線、制御信号線）を埋込穴１０１から下方に引き出し、それぞれの配線を、電源端子台６１の電源線挿入孔６３、アース線挿入孔６４、信号端子台７１の信号線挿入孔７３に挿入して、対応する各端子に接続させる。
【００５３】
その後、電源固定部材４０の長手方向を天井面に対して垂直もしくは傾けた姿勢で、電源固定部材４０における端子台６１、７１が取り付けられた先端側を埋込穴１０１に挿入し、図４において矢印Ａで示す方向に照明器具１を回動させながら、電源固定部材４０を天井裏のスペースへと入れていく。
【００５４】
同時に、３つの取付ばね３３を付勢力に抗して両手で押しすぼめるように操作して、すぼめた取付ばね３３を埋込穴１０１に挿入する。取付ばね３３が天井裏スペースに挿入されると、取付ばね３３を押しすぼめていた手を取付ばね３３から離し器具本体１０を押し上げる。これにより、３本の取付ばね３３が弾性復元力により広がり天井裏面に当接し、この力によって器具本体１０が上方に持ち上げられて、図１（ｂ）に示すように、化粧枠３１のフランジ３２が埋込穴の周縁に圧接し、照明器具１が天井１００に対して取り付けられる。
【００５５】
化粧枠３１のフランジ３２以外の照明器具１のほとんどの部分は埋込穴１０１または天井裏に挿入される。器具本体１０の外径は埋込穴１０１の直径に依存し、器具本体１０の外径を小さくすれば、埋込穴１０１の直径も小さくて済む。しかし、埋込穴１０１の直径が小さくなると、電源固定部材４０の幅の縮小も求められる。
【００５６】
以上説明した実施形態によれば、電源端子台６１と信号端子台７１の２つの端子台を、端子台取付板５１を挟んで、端子台取付板５１の一方の面とその裏面である他方の面にそれぞれ重ねて配置することで、端子台取付板５１の同じ面に並べて配置した場合に比べて、端子台取付板５１ひいては電源固定部材４０の幅を小さくすることができる。
【００５７】
したがって、より小さな直径の埋込穴１０１への電源固定部材４０の挿入を可能とし、器具本体１０の小型化を妨げない。実施形態によれば、例えば、電源固定部材４０の幅（図１（ａ）におけるＷ）が５５〜６０ｍｍ、器具本体１０の外径が７５ｍｍの照明器具１を提供することができる。
【００５８】
信号端子台７１の操作解除部７４の上には電源端子台６１は重ねられず、電源端子台６１の操作解除部６５、６６の下には信号端子台７１は重ねられていない。したがって、それぞれの操作解除部７４、６５、６６の操作は他方の端子台によって妨げられない。
【００５９】
なお、信号端子台７１と電源端子台６１は、端子台取付板５１に対してどちらが上でも下でもよい。また、それぞれの端子台を覆うカバーを端子台取付板５１に取り付けることで、端子台をほこりなどから保護することができる。
【００６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
１…照明器具、１０…器具本体、２１…光源、２３…発光素子、４０…電源固定部材、４１…点灯ユニット、５１…端子台取付板、６１…電源端子台、６７，７７…突起、７１…信号端子台、８４…ネジ受け
【図１】
2014060069.tif 000003
【図２】
2014060069.tif 000004
【図３】
2014060069.tif 000005
【図４】
2014060069.tif 000006